(57)【要約】【課題】構造が簡素で、小型化でき、コストの削減及び長期の信頼性が確保でき、更に作業性が向上する心線対照用光信号受光装置及びその使用方法を提供する。【解決手段】光ファイバテープ心線を湾曲させて保持する挟持凹部１２、挟持凸部１３と、光ファイバテープ心線の湾曲させた部分から放射される放射光を検出する受光素子１７と、放射光を受光素子１７へ導くべく挟持凹部１２に形成され、保持される光ファイバテープ心線の１番上側の単心線の位置に対応して開口し、かつ、受光素子１７につながる貫通孔１８とを備える心線対照用光信号受光装置１１を用いて、光ファイバテープ心線の一方の側端部を上側にして挟持した場合と、光ファイバテープ心線の他方の側端部を上側にして挟持した場合との、光ファイバテープ心線から放射される光信号の強度を比較する。【選択図】　図１
2004061398.tif 000002
【特許請求の範囲】
【請求項１】
テープ型光ファイバ心線を湾曲させて保持する保持部材と、
前記テープ型光ファイバ心線の湾曲させた部分から放射される放射光を検出する受光素子と、
前記放射光を前記受光素子へ導くべく前記保持部材に形成され、前記テープ型光ファイバ心線のいずれか一方の側端部の単心線の位置に対応して開口し、かつ、前記受光素子につながる貫通孔と
を備えることを特徴とする心線対照用光信号受光装置。
【請求項２】
請求項１記載の心線対照用光信号受光装置において、
前記保持部材が、前記テープ型光ファイバ心線を線対称に湾曲させるものであることを特徴とする心線対照用光信号受光装置。
【請求項３】
請求項１又は請求項２記載の心線対照用光信号受光装置において、
前記貫通孔の、前記テープ型光ファイバ心線の幅方向における大きさを、前記テープ型光ファイバ心線の単心線の直径と同等としたことを特徴とする心線対照用光信号受光装置。
【請求項４】
請求項１乃至請求項３のいずれかに記載の心線対照用光信号受光装置において、
前記貫通孔の、前記テープ型光ファイバ心線の長さ方向における大きさを、前記テープ型光ファイバ心線の長さ方向における前記受光素子の大きさと同等としたことを特徴とする心線対照用光信号受光装置。
【請求項５】
テープ型光ファイバ心線のいずれか一方の側端部の単心線に光信号を入射して、
前記テープ型光ファイバ心線の幅方向を任意の方向にして、前記テープ型光ファイバ心線を、請求項１乃至請求項４のいずれかに記載の心線対照用光信号受光装置に保持し、前記テープ型光ファイバ心線から放射される前記光信号の第１の強度を測定して、
前記テープ型光ファイバ心線の幅方向を前記任意の方向と逆の方向にして、前記テープ型光ファイバ心線を、請求項１乃至請求項４のいずれかに記載の心線対照用光信号受光装置に保持し、前記テープ型光ファイバ心線から放射される前記光信号の第２の強度を測定して、
前記第１の強度と前記第２の強度を比較して、前記テープ型光ファイバ心線の対照を行うことを特徴とする心線対照用光信号受光装置の使用方法。
【発明の詳細な説明】
【０００１】
【発明の属する技術分野】
本発明は、テープ型の光ファイバ心線の特定を行う心線対照システムで使用する心線対照用光信号受光装置及びその使用方法に関する。
【０００２】
【従来の技術】
光ファイバ通信網の建設や保守にあたり、光ファイバ心線の誤切断や誤接続といった事態を発生させないために、作業現場において、光ファイバケーブル内、或いは顧客の光ファイバ心線の個別識別を行う必要がある。この作業を心線対照と呼ぶ。通常実施されている心線対照の方法を図４に示す。
【０００３】
図４は、心線対照方法の一例を示す概略図である。
【０００４】
図４では、テープ型の光ファイバ心線である光ファイバテープ心線を用いて説明する。光ファイバテープ心線は、複数本の光ファイバの単心線を横一列に配置して被覆を施したものである。
【０００５】
図４に示すように、心線対照を行う場合、対照を必要とする光ファイバテープ心線１の一方側（図４では左側）に、心線対照に用いる光信号を発生する心線対照用光信号光源装置（以下「光源装置」という）２を設置し、同じく光ファイバテープ心線１の一方側に設置した心線対照用光信号入射装置（以下「入射装置」という）３を介して、光源装置２からの心線対照用光信号（以下「対照光」という）４を光ファイバテープ心線１に入射する。更に、光ファイバテープ心線１の他方側（図４では右側）に、心線対照用光信号受光装置（以下「受光装置」という）５を設置し、この受光装置５において、光ファイバテープ心線１に曲げを与えて、光ファイバテープ心線１の外部へ対照光４を放射させることで、対照光４を検出する。
【０００６】
上記光源装置２は、顧客への情報提供等で用いる通信用光信号（以下「通信光」という）よりも波長の長い光（例えば、レーザーダイオード（ＬＤ）や発光ダイオード（ＬＥＤ）等）に２７０Ｈｚの周波数変調を加えた対照光を発光する。
例えば、通信光の波長が１．３１μｍの場合、対照光の波長は１．５５μｍを採用し、通信光の波長が１．５５μｍの場合、対照光の波長は１．６５μｍを採用する。
【０００７】
又、入射装置３としては、光ファイバカプラや導波路型方向性結合器などが用いられる。或いは、入射装置３を用いずに、光ファイバテープ心線１の一方側の端面に、光源装置２からの対照光４を直接入射する場合もある。
【０００８】
又、受光装置５には、通信光の損失をある所定のレベルに抑制しつつ、光ファイバテープ心線１の外部へ対照光４のみを効率的に放射させるための曲げを与える湾曲機構が設けられると共に、この放射させた対照光４を受光するためのＧｅフォトダイオードやＩｎＧａＡｓフォトダイオードなどの心線対照用光信号受光素子（以下「受光素子」という）が設けられており、対照光４の放射の有無の判別や強度測定をすることができる。
【０００９】
上記構成により、通信光の送受信中であっても、光ファイバテープ心線１の一方側から入射された対照光４の放射を、他方側の受光装置５を用いて検出することにより、心線対照が遂行される。
【００１０】
なお、従来から使用している光源装置、入射装置及び受光装置からなる心線対照システムの代表的なものは、下記の文献等に示されている。
榎本ほか：“ハイブリッド型光モジュールを用いた小型光ファイバＩＤテスタの設計”、１９９６年電子情報通信学会通信ソサイエティ大会講演論文集（分冊：通信２）、講演番号Ｂ−９７６、Ｐ．４６１
【００１１】
図５は、受光装置において、光ファイバテープ心線に曲げを与える湾曲機構を示す図である。
【００１２】
図５に示すように、受光装置５の湾曲機構５ａ中の湾曲部分の形状は、その湾曲部分の長さ５ｂの中間を中心とする線対称断面の湾曲面で形成されている。そのため、光ファイバテープ心線１に与える曲げの形状も、湾曲部分の長さ５ｂの中心に対して、線対称の湾曲形状を有することとなる。従って、光ファイバテープ心線１の一方側（図５では左側）、又は他方側（図５では右側）のどちらから対照光４が入射されても、線対称の湾曲形状を有する頂点部分において、光ファイバテープ心線１の外部へ同等の対照光の放射４ａが発生し、心線対照が可能となり、更に、対照光の放射４ａの強度測定においても同等の計測値が得られる（図５での実線の矢印及び点線の矢印を参照）。このことから、光ファイバテープ心線１での対照光４の進行方向を考慮する必要がなく、心線対照作業の簡素化が図られている。
【００１３】
光ファイバテープ心線を表裏逆に接続するあや接続（以下「テレコ接続」という）を防止するためには、光ファイバテープ心線の最若番心線から最老番心線への心線順序の確認が必要である。しかし、上記の心線対照システムでは、光ファイバテープ心線の特定までしか行えず、光ファイバテープ心線の中の個々の単心線の特定はできなかった。そのため、光ファイバテープ心線の接続にあたって、接続する双方の光ファイバテープ心線の最若番心線や最老番心線の特定は、各単心線に付された個々の被覆色を目視確認することで、光ファイバテープ心線の中のトレーサ心線を特定していた。
【００１４】
しかしながら、上記確認方法では、混乱・誤解・間違いを引き起こす可能性が大きい。光ファイバテープ心線は、光ファイバの製造技術の向上や要求条件の変化にもとづき、仕様変更や物品変更が行われるのが常であり、このような変更を重ねるごとに色配列や色種類の異なる光ファイバテープ心線の種別が増え、対処が困難になっていく。又、上記確認方法では、いかに万全を期して、細心の注意を払っても誤接続は撲滅に至らず、しかも、過去の接続工事においてテレコ接続が行われ、発見されることもなく現在に至った場合、被覆色の目視確認のみによるトレーサ心線の確認では、結果的に発見・修正することができず、再びテレコ接続・誤接続になってしまう。
【００１５】
これまでの光ファイバケーブルの設備量が少ない光サービス需要の黎明期においては、設備量そのものや切替工事の発生頻度も少なかったため、このような問題が顕在化してこなかった。しかし、光ファイバ網を根幹とした近年の様々なサービス需要にこたえるため、設備投資や提供エリアを拡大していけば、必然的にその危険度は増していく。つまり、光ファイバテープ心線の各単心線に付された個々の被覆色による目視確認のみに頼り、光学特性的な確認を行わないのであれば、確実な接続工事を行っていないことになり、通信品質の維持の大きな妨げとなり、ひいては社会的責任を果たしていないこととなる。
【００１６】
上記問題を解決するべく、心線対照作業の信頼性を向上させる改善を施した従来の受光装置が、図６に示すものである。この受光装置では、内部に後述のアタッチメント部材を設け、アタッチメント部材が有するスリットを用いることで、光ファイバテープ心線の単心線の特定を可能にし、トレーサ心線の確認を光学特性的にできるようにした。
【００１７】
図６は、改善を施した従来の受光装置の概略であり、（ａ）は受光装置の側面図、（ｂ）は受光装置の上面図、（ｃ）は受光装置に付加したアタッチメント部材の正面図である。
図６（ａ）、図６（ｂ）では、光ファイバテープ心線を挟持しない状態の受光装置の全体構成を示した。又、図６（ｃ）では受光装置に付加したアタッチメント部材のみを抜き出し、グリップ側から見た図を示した。
【００１８】
まず、受光装置２１について主な構成を説明し、更に、細部の構成及び機能を説明する。
【００１９】
図６（ａ）、図６（ｂ）に示すように、受光装置２１は、主な構成として、湾曲面を有する挟持凹部２２と、挟持凹部２２の湾曲面に嵌合する湾曲面を有し、挟持凹部２２の湾曲面に対向する位置に配置され、挟持凹部２側へ移動することで、光ファイバテープ心線を挟持凹部２２との間で圧接して挟持する挟持凸部２３と、光ファイバテープ心線を挟持する際に作業者が握るグリップ２４と、光ファイバテープ心線を挟持する際に作業者が手前（グリップ２４側）に引くトリガ２５と、トリガ２５を引くことにより挟持凸部２３を挟持凹部２２側へスライドさせるスライド機構２６と、グリップ２４に内蔵された受光素子２７とを有している。
【００２０】
上記挟持凹部２２は、受光装置２１の本体をなす部分である。具体的には、挟持凹部２２は、所定の曲率半径（第１の曲率半径）を有する凹んだ湾曲面である凹部２２ａと、凹部２２ａと一連の湾曲面を形成するように凹部２２ａの両端に配置され、所定の曲率半径（第２の曲率半径）を有する突き出た湾曲面である側凸部２２ｂ及び側凸部２２ｃとを有している。挟持凹部２２は、凹部２２ａと、その両端に配置される側凸部２２ｂ、側凸部２２ｃとにより、凹部２２ａの中央（底部）を中心とする線対称断面の１つの湾曲面を有する（図６（ｂ）参照）。
【００２１】
又、挟持凹部２２の湾曲面には、光ファイバテープ心線を適切に挟持するため、光ファイバテープ心線が収まる形状（例えば、矩形状）の溝部２２ｄが設けられており、挟持凹部２２の湾曲面の長手方向（側凸部２２ｂから凹部２２ａを経て側凸部２２ｃへの方向）に沿って形成されている（図６（ａ）、図６（ｂ）参照）。
【００２２】
又、挟持凹部２２には、グリップ２４に内蔵された受光素子２７から凹部２２ａの中央（底部）の湾曲面までつながる貫通孔２８が設けられており、貫通孔２８の高さ方向の大きさは、光ファイバテープ心線の幅と同等である（図６（ａ）、図６（ｂ）参照）。
【００２３】
更に、挟持凹部２２には、挟持凹部２２の内部の凹部２２ａの湾曲面と受光素子２７の間において、挟持凹部２２の湾曲面の長手方向（側凸部２２ｂの湾曲中心点と側凸部２２ｃの湾曲中心点とを結ぶ直線と平行の方向）に貫通するようにアタッチメント部材２９が設けてあり、貫通孔２８を垂直に横断するように配置されている（図６（ａ）、図６（ｂ）参照）。
【００２４】
上記挟持凸部２３は、挟持凹部２２の湾曲面に対向するように、受光装置２１の本体部分に設けられている。具体的には、挟持凸部２３は、所定の曲率半径（第１の曲率半径）を有する突き出た湾曲面である凸部２３ａと、凸部２３ａと一連の湾曲面を形成するように、凸部２３ａの両端に配置され、所定の曲率半径（第２の曲率半径）を有する凹んだ湾曲面である側凹部２３ｂ及び側凹部２３ｃとを有している。挟持凸部２３は、凸部２３ａと、その両端に配置される側凹部２３ｂ、側凹部２３ｃとにより、凸部２３ａの中央（底部）を中心とする線対称断面の１つの湾曲面を有する（図６（ａ）、図６（ｂ）参照）。
【００２５】
又、挟持凸部２３の湾曲面にも、挟持凹部２２と同様に、光ファイバテープ心線を適切に挟持するため、光ファイバテープ心線が収まる形状（例えば、矩形状）の溝部２３ｄが設けられており、挟持凸部２３の湾曲面の長手方向（側凹部２３ｂから凸部２３ａを経て側凹部２３ｃへの方向）に沿って形成されている（図６（ａ）、図６（ｂ）参照）。
【００２６】
上記挟持凹部２２及び上記挟持凸部２３において、挟持凹部２２の凹部２２ａと挟持凸部２３の凸部２３ａの湾曲面の曲率半径は等しく、挟持凹部２２の側凸部２２ｂ、側凸部２２ｃと挟持凸部２３の側凹部２３ｂ、側凹部２３ｃの湾曲面の曲率半径は等しいため、挟持凹部２２、挟持凸部２３は、互いに嵌合する湾曲面を有することとなる（図６（ｂ）参照）。挟持凸部２３の凸部２３ａの中央（頂部）が、挟持凹部２２の凹部２２ａの中央（底部）に相対するように配置されており、挟持凹部２２側であるグリップ２４に設けられた受光素子２７から見た場合、貫通孔２８を通して、挟持凹部２２の凹部２２ａの中央（底部）から、挟持凸部２３の凸部２３ａの中央（頂部）を臨む配置になる。
【００２７】
上記スライド機構２６は、挟持凹部２２と挟持凸部２３との間に設けられており（図６（ｂ）参照）、作業者がグリップ２４を握り、トリガ２５を手前（グリップ２４側）に引くと、トリガ２５の動きに連動して、挟持凸部２３が、挟持凹部２２に向かって移動され、互いに嵌合する状態となる。
【００２８】
挟持凹部２２及び挟持凸部２３は、挟持凹部２２の凹部２２ａの湾曲面の中央（底部）の法線と、挟持凸部２３の凸部２３ａの湾曲面の中央（頂点）の法線が一致するように配置されている。更に、スライド機構２６による挟持凸部２３の移動方向も、これらの湾曲面の法線と平行であるため、スライド機構２６により、挟持凸部２３が挟持凹部２２側へ移動すると、溝部２２ｄ、２３ｄを除く互いの湾曲面が、全面で接することとなる。
【００２９】
上記構造の挟持凹部２２、挟持凸部２３及びスライド機構２６を用いることにより、互いの湾曲面の溝部２２ｄ、２３ｄに設置された光ファイバテープ心線を、互いに対向する挟持凹部２２と挟持凸部２３の湾曲面の間に圧接することができ、光ファイバテープ心線に所定の湾曲（曲げ）を与えて挟持することとなる。
従って、光ファイバテープ心線が湾曲されることで、湾曲された光ファイバテープ心線の頂部、つまり、挟持凹部２２の凹部２２ａの中央（底部）と挟持凸部２３の凸部２３ａの中央（頂部）に挟まれた光ファイバテープ心線部分にて、対照光が外部へ放射されることとなる。この放射された対照光（以下「放射対照光」という）は、貫通孔２８を通過して、受光素子２７側へ入射される。
【００３０】
受光装置２１では、光ファイバテープ心線からの放射対照光が、どの単心線から放射されたものであるかを特定する必要がある。そのため、受光装置２１では、挟持凹部２２の内部に設けたアタッチメント部材２９にスリット３０ａ、３０ｂを設け、貫通孔２８に入射された放射対照光をスリット３０ａ、３０ｂに通過させることで、光ファイバテープ心線の単心線の特定を可能にし、トレーサ心線の確認を光学特性的にできるようにした。
【００３１】
従って、放射対照光の特定のため、アタッチメント部材２９では、スリット３０ａ、３０ｂの大きさを、幅が光ファイバテープ心線からの放射対照光を受光素子２７に導く貫通孔２８の幅と同一で、高さが、光ファイバテープ心線を構成する個々の単心線の直径と同一とした。更に、アタッチメント部材２９でのスリット３０ａ、３０ｂの互いの配置位置を異なるものとした。
【００３２】
具体的には、上側のスリット３０ａを、挟持される光ファイバテープ心線の１番上の単心線（例えば、４心のテープ心線の場合、１番心線：最若番心線）に対応する高さの位置に配置し、下側のスリット３０ｂを、挟持される光ファイバテープ心線の１番下の単心線（例えば、４心のテープ心線の場合、４番心線：最老番心線側）に対応する高さの位置に配置した。又、スリット３０ａ、３０ｂが同時に貫通孔２８と重ならないように、アタッチメント部材２９の長手方向の適切な位置に配置した。つまり、アタッチメント部材２９の長手方向及び高さ方向において、スリット３０ａ、３０ｂを、適切な長手方向の間隔を置いて、互いに異なる高さの位置へ配置することで、受光装置１１が、光ファイバテープ心線の最若番心線又は最老番心線を特定できる構成とした（図６（ｃ）参照）。
【００３３】
アタッチメント部材２９は、光ファイバテープ心線が挟持凹部２２と挟持凸部２３との間で挟持された状態でも、光ファイバテープ心線に影響を与えることなく、アタッチメント部材２９の長手方向（側凸部２２ｂの湾曲中心点と側凸部２２ｃの湾曲中心点とを結ぶ直線と平行の方向）に、作業者の手動により移動させることができる。そのため、上側のスリット３０ａ又は下側のスリット３０ｂを、貫通孔２８と重なり合う位置で、それぞれ一時的に固定・保持でき、それぞれの位置に固定した状態で放射対照光の強度を、受光素子２７で検出することができる。
【００３４】
従って、アタッチメント部材２９の位置調整を行うことで、上側のスリット３０ａが貫通孔２８と重なり合う位置で一時的に固定・保持されたときは、光ファイバテープ心線の１番上の単心線からの放射対照光を、貫通孔２８及び上側のスリット３０ａを通して、受光素子２７が検出することができる。又、下側のスリット３０ｂが貫通孔２８と重なり合う位置で一時的に固定・保持されたときは、光ファイバテープ心線の１番下の単心線からの放射対照光を、貫通孔２８及び下側のスリット３０ｂを通して、受光素子２７が検出することができる。それぞれの状態において、受光素子２７から光ファイバテープ心線を臨むことのできる面積は、それぞれ上側のスリット３０ａ又は下側のスリット３０ｂの面積となっている。
【００３５】
なお、アタッチメント部材２９が挟持凹部２２から脱落するのを防止するため、アタッチメント部材２９の長手方向の両端部には、Ｌ字型の折曲部が設けられている。このＬ字型の折曲部は、上側のスリット３０ａ又は下側のスリット３０ｂが貫通孔２８と重なり合うのを妨げないように、配置されている（図６（ａ）、図６（ｂ）、図６（ｃ）参照）。
【００３６】
上記構成の受光装置２１を用い、アタッチメント部材２９の位置を調整することで、光ファイバテープ心線のトレーサ心線の判定が可能となる。受光装置２１でのアタッチメント部材２９の使用状況を、図７、８に示す。
【００３７】
図７は、従来の受光装置の使用状況を示す概略であり、（ａ）は受光装置の上面図、（ｂ）は光ファイバテープ心線とアタッチメント部材との関係を示す概略図である。
又、図８は、従来の受光装置の他の使用状況を示す概略であり、（ａ）は受光装置の上面図、（ｂ）は光ファイバテープ心線とアタッチメント部材との関係を示す概略図である。
【００３８】
図７（ａ）、図８（ａ）において、光ファイバテープ心線１に対する光源装置２、入力装置３の構成は、図４に示すものと同等である。つまり、心線対照を行う光ファイバテープ心線１の一方側に、心線対照に用いる光信号を発生する光源装置２を設置し、同じく光ファイバテープ心線１の一方側に設置した入射装置３を介して、光源装置２からの対照光４を光ファイバテープ心線１に入射する。更に、光ファイバテープ心線１の他方側に、上記構成の受光装置２１を設置する。
【００３９】
図７（ａ）では、受光装置２１にて、光ファイバテープ心線１を挟持し、アタッチメント部材２９の位置調整を行って、上側のスリット３０ａが貫通孔２８と重なり合う位置で一時的に固定・保持した状態を示した。つまり、受光素子２７が貫通孔２８及び上側のスリット３０ａを通して、光ファイバテープ心線１の１番上の単心線である最若番心線１１を臨むことのできる状態（以下「上側のスリット３０ａ透過状態」という）である。図７（ｂ）では、グリップ２４側から、光ファイバテープ心線１方向を見たときの、光ファイバテープ心線１、貫通孔２８、アタッチメント部材２９及びスリット３０ａ、３０ｂの配置関係を示した。
つまり、上記使用状況において、アタッチメント部材２９の上側のスリット３０ａが、貫通孔２８（貫通孔の断面の投影２８ａ参照）と重なり合い、受光素子２７が、光ファイバテープ心線１の１番上の単心線である最若番心線１１を臨むことのできる状態である。
【００４０】
図８（ａ）では、受光装置２１にて、光ファイバテープ心線１を挟持し、アタッチメント部材２９の位置調整を行って、下側のスリット３０ｂを貫通孔２８と重なり合う位置で一時的に固定・保持した状態を示した。つまり、受光素子２７が貫通孔２８及び下側のスリット３０ｂを通して、光ファイバテープ心線１の１番下の単心線である最老番心線１ｎを臨むことのできる状態（以下「下側のスリット３０ｂ透過状態」という）である。図８（ｂ）では、グリップ２４側から、光ファイバテープ心線１方向を見たときの、光ファイバテープ心線１、貫通孔２８、アタッチメント部材２９及びスリット３０ａ、３０ｂの配置関係を示した。
つまり、上記使用状況において、アタッチメント部材２９の下側のスリット３０ｂが、貫通孔２８（貫通孔の断面の投影２８ａ参照）と重なり合い、受光素子２７が光ファイバテープ心線１の１番下の単心線である最老番心線１ｎを臨むことのできる状態である。
【００４１】
図７、図８を用いて、受光装置２１の使用方法となる具体的な作業手順を説明する。
【００４２】
光ファイバテープ心線の特定を行う場合、ビル内で光源装置２を操作する作業者Ａと、ビル外で受光装置２１を操作する作業者Ｂは互いに連携をとりながら、以下の手順により作業を実施する。
【００４３】
（作業ステップ１）
作業者Ａは、光ファイバテープ心線１の被覆色を目視確認して、最若番心線１１に対照光を入射し、作業者Ｂに次の作業に移行するよう連絡する。
【００４４】
（作業ステップ２）
作業者Ｂは、作業者Ａの連絡を受け、光ファイバテープ心線１の被覆色を目視確認して、最若番心線１１を上に配置して、光ファイバテープ心線１を受光装置２１で挟持する（図７参照）。
【００４５】
（作業ステップ３）
作業者Ｂは、手動でアタッチメント部材２９を移動させ、上側のスリット３０ａ透過状態に固定・保持して、放射対照光の強度を測定する。このときの、放射対照光の強度の測定値をＰ１とする（図７参照）。
【００４６】
（作業ステップ４）
作業者Ｂは、手動でアタッチメント部材２９を移動させ、下側のスリット３０ｂ透過状態に固定・保持して、放射対照光の強度を測定する。このときの、放射対照光の強度の測定値をＰ２とする（図８参照）。
【００４７】
（作業ステップ５）
作業者Ｂは、放射対照光の強度の測定値Ｐ１とＰ２の差分を計算し、Ｐ１がＰ２より大きければ、“光ファイバテープ心線１の１番上の単心線に対照光が入射されている”と判断し、トレーサ心線は光ファイバテープ心線１の１番上の単心線と決定する。
逆に、Ｐ２がＰ１より大きければ、“光ファイバテープ心線１の１番下の単心線に対照光が入射されている”と判断し、トレーサ心線は光ファイバテープ心線１の１番下の単心線と決定する。
【００４８】
（作業ステップ６）
作業者Ｂは、作業者Ａにトレーサ心線の判定作業が完了したことを連絡し、光ファイバテープ心線１の接続作業に移行する。
【００４９】
作業ステップ５の差分の計算結果において、Ｐ１がＰ２より大きい、つまり“光ファイバテープ心線１の１番上の単心線に対照光が入射されている”状態であれば、被覆色により最若番心線１１と想定した光ファイバテープ心線１の１番上の単心線が、光学的特性の測定結果からも最若番心線１１（４心テープ心線ならば１番心線）となり、過去の接続工事において、テレコ状態がなく、正常な接続が行われていると判断できる。
【００５０】
しかし逆に、作業ステップ５の差分の計算結果において、Ｐ２がＰ１より大きい、つまり“光ファイバテープ心線１の１番下の単心線に対照光が入射されている”状態であれば、被覆色により最老番心線１ｎと想定した光ファイバ光ファイバテープ心線１の１番下の単心線が、最若番心線１１（４心テープ心線ならば１番心線）となり、過去の接続工事において、テレコ接続が行われ、放置されているということが判断できる。
【００５１】
作業者Ａが被覆色により最若番心線１１と想定した光ファイバテープ心線の単心線と、作業者Ｂが被覆色により最若番心線１１と想定した光ファイバテープ心線の単心線とが、光学的特性の測定結果からも一致して、トレーサ心線と判定できることが理想な状態である。
【００５２】
【発明が解決しようとする課題】
ところが、光学的特性によるトレーサ心線の判定を実現した上記受光装置２１は、上側のスリット３０ａ又は下側のスリット３０ｂの位置や面積等のサイズの微細加工や挟持凹部２２内でのがたつきの抑制の加工が必要であり、構造が複雑で高額なものとなる。更に、繰り返し使用するとアタッチメント部材２９と挟持凹部２２との間で磨耗が発生し、がたつきが発生して、測定精度が劣化していくという問題がある。
【００５３】
又、アタッチメント部材２９を付加したことにより、受光装置２１が大型化し、狭隘な作業スペースに適用できないという問題もある。
【００５４】
本発明は上記課題に鑑みなされたもので、構造が簡素で、小型化でき、コストの削減及び長期の信頼性が確保でき、更に作業性が向上する心線対照用光信号受光装置及びその使用方法を提供することを目的とする。
【００５５】
【課題を解決するための手段】
上記課題を解決する本発明に係る心線対照用光信号受光装置は、テープ型光ファイバ心線を湾曲させて保持する保持部材と、前記テープ型光ファイバ心線の湾曲させた部分から放射される放射光を検出する受光素子と、前記放射光を前記受光素子へ導くべく前記保持部材に形成され、前記テープ型光ファイバ心線のいずれか一方の側端部の単心線の位置に対応して開口し、かつ、前記受光素子につながる貫通孔とを備えることを特徴とする。
【００５６】
上記課題を解決する本発明に係る心線対照用光信号受光装置は、前記保持部材が、前記テープ型光ファイバ心線を線対称に湾曲させるものであることを特徴とする。
【００５７】
上記課題を解決する本発明に係る心線対照用光信号受光装置は、前記貫通孔の、前記テープ型光ファイバ心線の幅方向における大きさを、前記テープ型光ファイバ心線の単心線の直径と同等としたことを特徴とする。
【００５８】
上記課題を解決する本発明に係る心線対照用光信号受光装置は、前記貫通孔の、前記テープ型光ファイバ心線の長さ方向における大きさを、前記テープ型光ファイバ心線の長さ方向における前記受光素子の大きさと同等としたことを特徴とする。
【００５９】
上記課題を解決する本発明に係る心線対照用光信号受光装置の使用方法は、テープ型光ファイバ心線のいずれか一方の側端部の単心線に光信号を入射して、前記テープ型光ファイバ心線の幅方向を任意の方向にして、前記テープ型光ファイバ心線を、請求項１乃至請求項４のいずれかに記載の心線対照用光信号受光装置に保持し、前記テープ型光ファイバ心線から放射される前記光信号の第１の強度を測定して、前記テープ型光ファイバ心線の幅方向を前記任意の方向と逆の方向にして、前記テープ型光ファイバ心線を、請求項１乃至請求項４のいずれかに記載の心線対照用光信号受光装置に保持し、前記テープ型光ファイバ心線から放射される前記光信号の第２の強度を測定して、前記第１の強度と前記第２の強度を比較して、前記テープ型光ファイバ心線の対照を行うことを特徴とする。
【００６０】
【発明の実施の形態】
以下、図面を参照して、本発明の実施の形態を説明する。
【００６１】
図１は、本発明に係る実施形態の一例を示す受光装置の概略であり、（ａ）は受光装置の側面図、（ｂ）は受光装置の上面図、（ｃ）は光ファイバテープ心線と貫通孔の関係を示す概略図である。
図１（ａ）及び図１（ｂ）は、光ファイバテープ心線を挟持しない状態の受光装置の全体構成を示しており、図１（ｃ）は、光ファイバテープ心線と貫通孔の関係を示すため、グリップ側から見た図を示した。
【００６２】
本発明に係る受光装置１１は、図６に示した受光装置２１と略同等の構成である。しかしながら、貫通孔１８の大きさ、配置を工夫することで、アタッチメント部材２９（図６参照）を不要とし、簡単な構成にて光ファイバテープ心線の単心線の特定を可能にし、トレーサ心線の確認を光学特性的にできるようにした。この受光装置１１について、まず、主な構成を説明し、更に、細部の構成及び機能を説明する。
【００６３】
図１（ａ）、図１（ｂ）に示すように、受光装置１１は、主な構成として、湾曲面を有する挟持凹部１２と、挟持凹部１２の湾曲面に嵌合する湾曲面を有し、挟持凹部１２の湾曲面に対向する位置に配置され、挟持凹部１２側へ移動することで、光ファイバテープ心線を挟持凹部１２との間で圧接して挟持する挟持凸部１３と、光ファイバテープ心線を挟持する際に作業者が握るグリップ１４と、光ファイバテープ心線を挟持する際に作業者が手前（グリップ１４側）に引くトリガ１５と、トリガ１５を引くことにより挟持凸部１３を挟持凹部１２側へスライドさせるスライド機構１６と、グリップ１４に内蔵された受光素子１７とを有している。上記挟持凹部１２、挟持凸部１３が、光ファイバテープ心線を湾曲させて保持する保持部材となる。光受光素子１７は、光ファイバテープ心線の湾曲された部分から放射される放射対照光を検出するものであり、例えば、ＧｅフォトダイオードやＩｎＧａＡｓフォトダイオード等が使用される。
【００６４】
上記挟持凹部１２は、受光装置１１の本体をなす部分である。具体的には、挟持凹部１２は、所定の曲率半径（第１の曲率半径）を有する凹んだ湾曲面である凹部１２ａと、凹部１２ａと一連の湾曲面を形成するように凹部１２ａの両端に配置され、所定の曲率半径（第２の曲率半径）を有する突き出た湾曲面である側凸部１２ｂ及び側凸部１２ｃとを有している。挟持凹部２は、凹部１２ａと、その両端に配置される側凸部１２ｂ、側凸部１２ｃとにより、凹部１２ａの中央（底部）を中心とする線対称断面の１つの湾曲面を有する（図１（ｂ）参照）。
【００６５】
又、挟持凹部１２の湾曲面には、光ファイバテープ心線を適切に挟持するため、光ファイバテープ心線が収まる形状（例えば、矩形状）の溝部１２ｄが設けられており、挟持凹部１２の湾曲面の長手方向（側凸部１２ｂから凹部１２ａを経て側凸部１２ｃへの方向）に沿って形成されている（図１（ａ）、図１（ｂ）参照）。なお、溝部１２ｄの幅は、収める光ファイバテープ心線の心線数によって異なり、例えば、４心の光ファイバテープ心線を用いる場合、４心の光ファイバテープ心線が溝部１２ｄに収まるような幅に形成する。
【００６６】
又、挟持凹部１２には、グリップ１４に内蔵された受光素子１７から凹部１２ａの中央（底部）の湾曲面までつながる貫通孔１８が設けられている（図１（ａ）、図１（ｂ）参照）。詳細は後述するが、貫通孔１８は、光ファイバ心線からの放射対照光を受光素子１７へ導くように形成され、更に、貫通孔１８の大きさ、配置により、光ファイバテープ心線の単心線の特定ができるように設けられている。
【００６７】
上記挟持凸部１３は、挟持凹部１２の湾曲面に対向するように、受光装置１１の本体部分に設けられている。具体的には、挟持凸部１３は、所定の曲率半径（第１の曲率半径）を有する突き出た湾曲面である凸部１３ａと、凸部１３ａと一連の湾曲面を形成するように、凸部１３ａの両端に配置され、所定の曲率半径（第２の曲率半径）を有する凹んだ湾曲面である側凹部１３ｂ及び側凹部１３ｃとを有している。挟持凸部１３は、凸部１３ａと、その両端に配置される側凹部１３ｂ、側凹部１３ｃとにより、凸部１３ａの中央（底部）を中心とする線対称断面の１つの湾曲面を有する（図１（ａ）、図１（ｂ）参照）。
【００６８】
又、挟持凸部１３の湾曲面にも、挟持凹部１２と同様に、光ファイバテープ心線を適切に挟持するため、光ファイバテープ心線が収まる形状（例えば、矩形状）の溝部１３ｄが設けられており、挟持凸部１３の湾曲面の長手方向（側凹部１３ｂから凸部１３ａを経て側凹部１３ｃへの方向）に沿って形成されている（図１（ａ）、図１（ｂ）参照）。なお、溝部１３ｄの幅は、収める光ファイバテープ心線の心線数によって異なり、例えば、４心の光ファイバテープ心線を用いる場合、４心の光ファイバテープ心線が溝部１３ｄに収まるような幅に形成する。
【００６９】
上記挟持凹部１２及び上記挟持凸部１３において、挟持凹部１２の凹部１２ａと挟持凸部１３の凸部１３ａの湾曲面の曲率半径は等しく、挟持凹部１２の側凸部１２ｂ、側凸部１２ｃと挟持凸部１３の側凹部１３ｂ、側凹部１３ｃの湾曲面の曲率半径は等しいため、挟持凹部１２、挟持凸部１３は、互いに嵌合する湾曲面を有することとなる（図１（ｂ）参照）。挟持凸部１３の凸部１３ａの中央（頂部）が、挟持凹部１２の凹部１２ａの中央（底部）に相対するように配置されており、挟持凹部１２側であるグリップ１４に設けられた受光素子１７から見た場合、貫通孔１８を通して、挟持凹部１２の凹部１２ａの中央（底部）から、挟持凸部１３の凸部１３ａの中央（頂部）を臨む配置になる。
【００７０】
上記スライド機構１６は、挟持凹部１２と挟持凸部１３との間に設けられており（図１（ｂ）参照）、作業者がグリップ１４を握り、トリガ１５を手前（グリップ１４側）に引くと、トリガ１５の動きに連動して、挟持凸部１３が、挟持凹部１２に向かって移動され、互いに嵌合する状態となる。
【００７１】
挟持凹部１２及び挟持凸部１３は、挟持凹部１２の凹部１２ａの湾曲面の中央（底部）の法線と、挟持凸部１３の凸部１３ａの中央（頂点）の湾曲面の法線が一致するように配置されている。更に、スライド機構１６による挟持凸部１３の移動方向も、これらの湾曲面の法線と平行であるため、スライド機構１６により、挟持凸部１３が挟持凹部１２側へ移動すると、溝部１２ｄ、１３ｄを除く互いの湾曲面が、全面で接することとなる。
【００７２】
挟持凹部１２、挟持凸部１３、スライド機構１６を用いることにより、互いの湾曲面の溝部１２ｄ、１３ｄに設置された光ファイバテープ心線を、互いに対向する挟持凹部１２と挟持凸部１３の湾曲面の間に圧接することができ、光ファイバテープ心線に所定の線対称の湾曲（曲げ）を与えて挟持することとなる。従って、光ファイバテープ心線が湾曲されることで、湾曲された光ファイバテープ心線の頂部、つまり、挟持凹部１２の凹部１２ａの中央（底部）と挟持凸部１３の凸部１３ａの中央（頂部）に挟まれた光ファイバテープ心線部分にて、対照光が外部へ放射されることとなる。この放射対照光は、貫通孔１８を通過して、受光素子１７側へ入射される。なお、光ファイバテープ心線の湾曲の大きさを変えることで、放射対照光の大きさを変えることができる。
【００７３】
本発明に係る受光装置１１では、光ファイバテープ心線１を挟持する時、光ファイバテープ心線１の１番上の単心線が、最若番心線１１（４心テープ心線ならば１番心線）であり、光ファイバテープ心線１の１番下の単心線が、最老番心線１ｎ（４心テープ心線ならば４番心線）であることは、必ずしも必要ではない。
【００７４】
受光装置１１では、光ファイバテープ心線からの放射対照光が、どの単心線から放射されたものであるかを特定する必要がある。そのため、受光装置１１では、挟持凹部１２の内部に設けた貫通孔１８を、適切な大きさに設け、適切な位置に配置することで、特定位置の単心線からの放射対照光を貫通孔１８に通過させて、光ファイバテープ心線の単心線の特定を可能にし、トレーサ心線の確認を光学特性的にできるようにした。
【００７５】
具体的には、図１に示すように、受光装置１１では、挟持される光ファイバテープ心線の長さ方向における貫通孔１８の大きさ（幅）を、挟持される光ファイバテープ心線の長さ方向における受光素子４０の大きさ（幅）と同等とし、挟持される光ファイバテープ心線の幅方向における貫通孔１８の大きさ（高さ）を、光ファイバテープ心線１を構成する個々の単心線の直径と同等とした。
【００７６】
又、挟持される光ファイバテープ心線の幅方向における貫通孔１８の配置位置を、挟持される光ファイバテープ心線１のいずれかの一方の側端部の単心線の位置、即ち、光ファイバテープ心線１の１番上となる単心線（例えば、４心のテープ心線ならば１番心線：最若番心線１１）、又は光ファイバテープ心線１の１番下となる単心線（例えば、４心のテープ心線ならば４番心線：最老番心線１ｎ）のいずれかの位置に対応して開口した。図１に示す受光装置１１では、挟持される光ファイバテープ心線１の１番上となる最若番心線側１１側の対応する位置に貫通孔１８を配置した。
【００７７】
上記構成の貫通孔１８により、受光素子１７から貫通孔１８を通して、光ファイバテープ心線の１番上の単心線を臨むことができる。つまり、光ファイバテープ心線１の１番上に配置された単心線からの放射対照光を、貫通孔１８で受光素子１７へ導き、その強度を受光素子１７で検出することができる。
【００７８】
従って、上記構成の受光装置１１では、従来の受光装置２１と比較して、可動部となるアタッチメント部材２９（図６参照）が不要であるため、簡素な構造とすることができ、小型化することもでき、それにともない受光装置１１のコストを削減することもできる。又、可動部が減ることにより操作手順が単純になり、作業性が向上し、更に、可動部がすり減ることで起こる弊害もないため、放射対照光の強度の測定を長期的に安定して行うことができる。
【００７９】
なお、本発明は、図に示す形状のみに限定されるものではなく、同等の機能を有するのであれば、他の形状でもよい。例えば、光ファイバテープ心線１に湾曲（曲げ）を与える保持部材としては、光ファイバテープ心線１を挟持して所定の湾曲を与えることができるものであれば、図１に示した構成のもの（受光装置１１で用いた挟持凹部１２、挟持凸部１３）に限定されるものではない。又、光ファイバテープ心線１からの放射対照光を特定する手段としては、光ファイバテープ心線１の特定の位置からの放射対照光を受光素子１７へ適切に導くものであれば、図１に示した貫通孔１８の構成に限定されるものではない。例えば、できるだけ多くの放射対照光を受光素子１７に導くため、貫通孔１８の内壁を鏡面に加工したり、貫通孔１８内に光の導波路となる材料を充填したりして、放射対照光の乱反射を抑えるようにしてもよい。
【００８０】
上記受光装置１１を用い、光ファイバテープ心線を挟持することで、光ファイバテープ心線１のトレーサ心線の判定が可能となる。この使用状況を、図２、３に示す。
【００８１】
図２は、本発明に係る実施形態の一例である受光装置の使用状況を示す概略であり、（ａ）は受光装置の上面図、（ｂ）は光ファイバテープ心線と貫通孔との関係を示す概略図である。
又、図３は、本発明に係る実施形態の一例である受光装置の他の使用状況を示す概略であり、（ａ）は受光装置の上面図、（ｂ）は光ファイバテープ心線と貫通孔との関係を示す概略図である。
【００８２】
図２（ａ）、図３（ａ）において、光ファイバテープ心線１に対する光源装置２、入力装置３の構成は、図４に示すものと同等である。つまり、心線対照を行う光ファイバテープ心線１の一方側に、心線対照に用いる光信号を発生する光源装置２を設置し、同じく光ファイバテープ心線１の一方側に設置した入射装置３を介して、光源装置２からの対照光４を光ファイバテープ心線１に入射する。更に、光ファイバテープ心線１の他方側に、本発明に係る受光装置１１を設置する。
【００８３】
図２（ａ）では、単心線の被覆色から判断した光ファイバテープ心線１の最若番心線１１側（４心テープ心線ならば１番心線）を上側にして、受光装置１１で光ファイバテープ心線１を挟持して、放射対照光の強度を測定している状態を示した。図２（ｂ）では、グリップ１４側から、光ファイバテープ心線１方向を見たときの、光ファイバテープ心線１、貫通孔１８の配置関係を示した。つまり、上記状態において、受光素子１７が、貫通孔１８（貫通孔の断面の投影１８ａ参照）を通して、１番上に配置した光ファイバテープ心線１の単心線である最若番心線１１を臨むことのできる状態である。
【００８４】
図３（ａ）では、単心線の被覆色から判断した光ファイバテープ心線１の最老番心線１ｎ側（４心テープ心線ならば４番心線）を上側にして、受光装置１１で光ファイバテープ心線１を挟持して、放射対照光の強度を測定している状態を示した。図３（ｂ）では、グリップ１４側から、光ファイバテープ心線１方向を見たときの、光ファイバテープ心線１、貫通孔１８の配置関係を示した。つまり、上記状態において、受光素子１７が、貫通孔１８（貫通孔の断面の投影１８ａ参照）を通して、１番上に配置した光ファイバテープ心線１の単心線である最若番心線１ｎを臨むことのできる状態である。
【００８５】
図２、図３を用いて、本発明に係る受光装置１１の使用方法となる作業手順を説明する。なお、本発明に係る受光装置１１では、挟持される光ファイバテープ心線１の一番上の単心線（４心テープ心線ならば１番心線：最若番心線側１１）に対応する位置に貫通孔１８が設けられている。
【００８６】
光ファイバテープ心線の特定を行う場合、ビル内で光源装置２を操作する作業者Ａと、ビル外で受光装置１１を操作する作業者Ｂは互いに連携をとりながら、以下の手順により作業を実施する。
【００８７】
（作業ステップ１）
作業者Ａは、光ファイバテープ心線１の被覆色を目視確認して、光ファイバテープ心線１の両側端部のいずれかの単心線である最若番心線１１に対照光を入射し、作業者Ｂに次作業に移行するよう連絡する。
【００８８】
（作業ステップ２）
作業者Ｂは、作業者Ａの連絡を受け、光ファイバテープ心線１の被覆色を目視確認して、光ファイバテープ心線１の幅方向の任意の方向、具体的には、光ファイバテープ心線１の一方の側端部の単心線である最若番心線１１を上側に配置して、光ファイバテープ心線１を受光装置１１で挟持し、放射対照光の強度を測定する。このときの放射対照光の強度（第１の強度）の測定値をＰ１とする（図２参照）。
【００８９】
（作業ステップ３）
作業者Ｂは、光ファイバテープ心線１の被覆色を目視確認して、作業ステップ２での任意の方向の逆の方向、具体的には、光ファイバテープ心線１の他方の側端部の単心線である最老番心線１ｎを上側に配置して、光ファイバテープ心線１を受光装置１１で挟持し、放射対照光の強度を測定する。このときの放射対照光の強度（第２の強度）の測定値をＰ２とする（図３参照）。
【００９０】
（作業ステップ４）
作業者Ｂは、放射対照光の強度の測定値Ｐ１とＰ２を比較し、その差分を計算して、Ｐ１がＰ２より大きければ、“光ファイバテープ心線１の最若番心線１１に対照光が入射されている”と判断し、トレーサ心線は光ファイバテープ心線１の最若番心線１１と決定する。
逆に、Ｐ２がＰ１より大きければ、“光ファイバテープ心線１の最老番心線１ｎに対照光が入射されている”と判断し、トレーサ心線は光ファイバテープ心線１の最老番心線１ｎと決定する。
【００９１】
（作業ステップ５）
作業者Ｂは、作業者Ａにトレーサ心線の判定作業が完了したことを連絡し、光ファイバテープ心線１の接続作業に移行する。
【００９２】
作業ステップ４の差分の計算結果において、Ｐ１がＰ２より大きい、つまり“光ファイバテープ心線１の最若番心線１１に対照光が入射されている”状態であれば、被覆色により最若番心線１１と想定した光ファイバテープ心線１の１番上の単心線が、光学的特性の測定結果からも最若番心線１１（４心テープ心線ならば１番心線）となり、過去の接続工事において、テレコ状態がなく、正常な接続が行われていると判断できる。
【００９３】
しかし逆に、作業ステップ４の差分の計算結果において、Ｐ２がＰ１より大きい、つまり“光ファイバテープ心線１の最老番心線１ｎに対照光が入射されている”状態であれば、被覆色により最老番心線１ｎと想定した光ファイバ光ファイバテープ心線１の１番下の単心線が、最若番心線１１（４心テープ心線ならば１番心線）となり、過去の接続工事において、テレコ接続が行われ放置されているということが判断できる。
【００９４】
【発明の効果】
請求項１に係る発明によれば、テープ型光ファイバ心線を湾曲させて保持する保持部材と、前記テープ型光ファイバ心線の湾曲させた部分から放射される放射光を検出する受光素子と、前記放射光を前記受光素子へ導くべく前記保持部材に形成され、前記テープ型光ファイバ心線のいずれか一方の側端部の単心線の位置に対応して開口し、かつ、前記受光素子につながる貫通孔とを備えるので、光ファイバ通信網の建設や保守にあたり、心線対照の原理を活かし、光ファイバテープ心線を切断することなく、光ファイバテープ心線の最若番心線から最老番心線への心線順序の確認が確実に実施でき、テレコ接続を防止できるほか、接続までの断線時間を短縮することができる。又、過去の施工ミスに起因するテレコ接続の発見・修正も可能となる。又、使用する心線対照用光信号受光装置の構造の簡素化、小型化ができ、それに伴いコストの削減を行うことができる。更に、可動部分が少ないため、長期的に安定して使用でき、信頼性が確保され、作業性の向上が実現できる。従って、接続作業の信頼性が確保されるため、今後の光通信サービスの工事において、誤接続により発生していた余分な作業が削減でき、投資効果の向上に大きく寄与する。
【００９５】
請求項２に係る発明によれば、前記保持部材が、前記テープ型光ファイバ心線を線対称に湾曲させるものであるので、光ファイバテープ心線に入射される光信号の進行方向によらず、光ファイバテープ心線から外部へ放射される光信号を検出することができる。
【００９６】
請求項３に係る発明によれば、前記貫通孔の、前記テープ型光ファイバ心線の幅方向における大きさを、前記テープ型光ファイバ心線の単心線の直径と同等としたので、より精度よく単心線の特定を行うことができる。
【００９７】
請求項４に係る発明によれば、前記貫通孔の、前記テープ型光ファイバ心線の長さ方向における大きさを、前記テープ型光ファイバ心線の長さ方向における前記受光素子の大きさと同等としたので、光ファイバテープ心線から放射される光信号を、より多く受光素子へ導くことができる。
【００９８】
請求項５に係る発明によれば、テープ型光ファイバ心線のいずれか一方の側端部の単心線に光信号を入射して、前記テープ型光ファイバ心線の幅方向を任意の方向にして、前記テープ型光ファイバ心線を、請求項１乃至請求項４のいずれかに記載の心線対照用光信号受光装置に保持し、前記テープ型光ファイバ心線から放射される前記光信号の第１の強度を測定して、前記テープ型光ファイバ心線の幅方向を前記任意の方向と逆の方向にして、前記テープ型光ファイバ心線を、請求項１乃至請求項４のいずれかに記載の心線対照用光信号受光装置に保持し、前記テープ型光ファイバ心線から放射される前記光信号の第２の強度を測定して、前記第１の強度と前記第２の強度を比較して、前記テープ型光ファイバ心線の対照を行うので、光ファイバ通信網の建設や保守にあたり、心線対照の原理を活かし、光ファイバテープ心線を切断することなく、光ファイバテープ心線の最若番心線から最老番心線への心線順序の確認が確実に実施でき、テレコ接続を防止できるほか、接続までの断線時間を短縮することができる。又、過去の施工ミスに起因するテレコ接続の発見・修正も可能となる。
【図面の簡単な説明】
【図１】本発明に係る実施形態の一例を示す心線対照用光信号受光装置の概略であり、（ａ）は受光装置の側面図、（ｂ）は受光装置の上面図、（ｃ）は光ファイバテープ心線と貫通孔との関係を示す概略図である。
【図２】本発明に係る実施形態の一例である心線対照用光信号受光装置の使用状況を示す概略であり、（ａ）は受光装置の上面図、（ｂ）は光ファイバテープ心線と貫通孔との関係を示す概略図である。
【図３】本発明に係る実施形態の一例である心線対照用光信号受光装置の他の使用状況を示す概略であり、（ａ）は受光装置の上面図、（ｂ）は光ファイバテープ心線と貫通孔との関係を示す概略図である。
【図４】心線対照方法の一例を示す概略図である。
【図５】光ファイバテープ心線に曲げを与える湾曲機構を示す概略図である。
【図６】従来の心線対照用光信号受光装置の構成を示す概略図であり、（ａ）は受光装置の側面図、（ｂ）は受光装置の上面図、（ｃ）は受光装置に付加したアタッチメント部材の正面図である。
【図７】従来の心線対照用光信号受光装置の使用状況を示す概略であり、（ａ）は受光装置の上面図、（ｂ）は光ファイバテープ心線とアタッチメント部材との関係を示す概略図である。
【図８】従来の心線対照用光信号受光装置の他の使用状況を示す概略であり、（ａ）は受光装置の上面図、（ｂ）は光ファイバテープ心線とアタッチメント部材との関係を示す概略図である。
【符号の説明】
１　　　光ファイバテープ心線
１１　　最若番心線（ｎ心の光ファイバテープ心線において、被覆色から決定した１番目の単心線）
１ｎ　　最老番心線（ｎ心の光ファイバテープ心線において、被覆色から決定したｎ番目の単心線、例えば、４心テープ心線ならば４番心線、８心テープ心線ならば８番心線）
２　　　光源装置（心線対照用光信号光源装置）
３　　　入射装置（心線対照用光信号入射装置）
５　　　対照光（心線対照用光信号）
１１　　受光装置（心線対照用光信号受光装置）
１２　　挟持凹部
１２ａ　凹部
１２ｂ　側凸部
１２ｃ　側凸部
１２ｄ　溝部
１３　　挟持凸部
１３ａ　凸部
１３ｂ　側凹部
１３ｃ　側凹部
１３ｄ　溝部
１４　　グリップ
１５　　トリガ
１６　　スライド機構
１７　　受光素子（心線対照用光信号受光素子）
１８　　貫通孔
１８ａ　貫通孔断面の投影
【図１】
2004061398.tif 000003
【図２】
2004061398.tif 000004
【図３】
2004061398.tif 000005
【図４】
2004061398.tif 000006
【図５】
2004061398.tif 000007
【図６】
2004061398.tif 000008
【図７】
2004061398.tif 000009
【図８】
2004061398.tif 000010